(57)【要約】【課題】自動的に転送されることによる記録媒体の回収遅れを防止すること。【解決手段】受信した画像情報の画像形成を行う画像形成手段（Ｃ３）と、前記ネットワーク（Ｎ）に接続された他の画像形成装置（Ｐｒ２〜Ｐｒ５）を記憶する転送先画像形成装置記憶手段（Ｃ４Ｃ）と、前記画像情報を受信した受信画像形成装置（Ｐｒ１）から画像情報を転送する転送先画像形成装置（Ｐｒ２〜Ｐｒ５）を指定するための転送先指定画像（１１）を情報表示画面（ＵＩ１）に表示する転送先指定画像表示手段（Ｃ６Ａ）と、前記転送先指定画像（１１）への入力に応じて前記転送先画像形成装置（Ｐｒ２〜Ｐｒ５）に前記画像情報を送信する画像情報転送手段（Ｃ６）とを備えた画像形成装置。【選択図】図２
2007168328.tif 000002
【特許請求の範囲】
【請求項１】
下記の構成要件（Ａ01）〜（Ａ05）を備えたことを特徴とする画像形成装置、
（Ａ01）ネットワークを介して送信された画像情報を順次記憶する画像情報記憶手段、
（Ａ02）受信した画像情報の画像形成を行う画像形成手段、
（Ａ03）前記ネットワークに接続された他の画像形成装置を記憶する転送先画像形成装置記憶手段、
（Ａ04）前記画像情報を受信した受信画像形成装置から画像情報を転送する転送先画像形成装置を指定するための転送先指定画像を情報表示画面に表示する転送先指定画像表示手段、
（Ａ05）前記転送先指定画像への入力に応じて前記転送先画像形成装置に前記画像情報を送信する画像情報転送手段。
【請求項２】
下記の構成要件（Ａ06），（Ａ07）を備えたことを特徴とする請求項１に記載の画像形成装置、
（Ａ06）前記画像情報記憶手段に記憶された全ての画像情報の一覧表示して転送する画像情報を指定するための転送情報指定画像を表示する転送情報指定画像表示手段、
（Ａ07）前記転送情報指定画像で指定された画像情報を前記転送先画像形成装置に転送する前記画像情報転送手段。
【請求項３】
下記の構成要件（Ａ08），（Ａ09）を備えたことを特徴とする請求項１または２に記載の画像形成装置、
（Ａ08）前記ネットワークに接続された他の画像形成装置を検出する転送先検出手段、
（Ａ09）検出された他の画像形成装置を記憶する前記転送先画像形成装置記憶手段。
【請求項４】
下記の構成要件（Ａ010），（Ａ011）を備えたことを特徴とする請求項３に記載の画像形成装置、
（Ａ010）前記ネットワークに接続された他の画像形成装置の稼働状況を検出する転送先稼働状況検出手段、
（Ａ011）前記稼働状況を含む前記転送先指定画像を表示する前記画像情報転送手段。
【請求項５】
下記の構成要件（Ａ012），（Ａ013）を備えたことを特徴とする請求項１ないし４のいずれかに記載の画像形成装置、
（Ａ012）前記画像情報の画像形成を待機する指示を行う待機指示情報を含む前記画像情報を記憶する前記画像情報記憶手段、
（Ａ013）前記画像形成を待機する指定がされた画像情報の待機を解除するための待機解除画像を表示する待機解除画像表示手段。
【請求項６】
下記の構成要件（Ａ014），（Ａ015）を備えたことを特徴とする請求項５に記載の画像形成装置、
（Ａ014）前記受信画像形成装置が画像形成不可能状態であるか否かを判別する画像形成不可能判別手段、
（Ａ015）前記画像形成不可能状態である場合に、前記待機指示情報が含まれていない画像情報を自動的に転送先画像形成装置に転送すると共に、前記待機指示情報が含まれている画像情報を自動的に転送先画像形成装置に転送しない前記画像情報転送手段。
【発明の詳細な説明】
【技術分野】
【０００１】
本発明は、プリンタ、ＦＡＸ、複合機等の画像形成装置に関し、特に、パーソナルコンピュータ等の画像情報を送信する画像情報送信装置から送信された画像情報を受信して画像記録を行う画像形成装置に関する。
【背景技術】
【０００２】
近年、ネットワークを介した情報通信技術が発達し、パーソナルコンピュータやサーバ、プリンタやスキャナ等がネットワークを介して接続されることが多くなっている。プリンタからプリントアウトする機会が多いオフィスや部門、企業等では、１台のプリンタを多人数で使用すると、プリントアウトが集中した時に目的の印刷物がプリントアウトされるまでに時間がかかってしまう。これに対応するために、ネットワークに複数のプリンタを接続し、印刷時にプリンタの状況を見てプリントアウトが集中していないプリンタを選択可能とすることで、分散してプリントアウトすることが行われている。
【０００３】
このようなシステムでも、複数のユーザが同じプリンタを指定してしまい、特定のプリンタに印刷が集中し、他のプリンタでプリントアウトが行われず、効率よくプリントアウトができないことがある。
また、印刷媒体（紙）がなくなってしまったり、紙詰まりが発生したりしたプリンタにデータ（画像情報）を送信すると、他にプリントアウトできるプリンタが存在するにも関わらず、いつまでもプリントアウトが行われないことがある。
【０００４】
ネットワークに接続された複数のプリンタから効率よくプリントアウトを行うための技術として、下記の従来技術（Ｊ01）〜（Ｊ03）が公知である。
（Ｊ01）特許文献１（特開平１１−１５２５０６号公報）記載の技術
特許文献１には、出力媒体の有無を検出して、出力媒体がない場合には自動的にデータを他の画像形成装置に転送する技術が記載されている。
（Ｊ02）特許文献２（特開平１１−３２７８５６号公報）記載の技術
特許文献２には、印刷制御装置から送信した印刷データを印刷装置で印刷中に、印刷処理エラーが発生すると、設定された他の印刷装置に印刷データを送信して印刷処理を実行する技術が記載されている。
（Ｊ03）特許文献３（特開平１１−３５３１４１号公報）記載の技術
特許文献３には、ネットワーク上のプリンタに画像情報（ジョブデータ）を送信したときに、送信されたプリンタで他のジョブを実行中である場合に、ネットワーク上でジョブを実行していないジョブ待ち状態のプリンタにジョブデータを転送する技術が記載されている。
【０００５】
【特許文献１】特開平１１−１５２５０６号公報（「０００５」）
【特許文献２】特開平１１−３２７８５６号公報（「０００６」）
【特許文献３】特開平１１−３５３１４１号公報（「０００４」）
【発明の開示】
【発明が解決しようとする課題】
【０００６】
（従来技術の問題点）
前記従来技術（Ｊ01）〜（Ｊ03）では、記録媒体の不足や印刷処理エラー、または印刷負荷の集中（他のジョブ実行中）を検出して、自動的に画像情報（印刷ジョブ）を他のプリンタに転送したり、パソコンから改めて送信している。
機密情報のプリントアウトを実行する場合、プリントアウト後に速やかに記録媒体を回収しないと、他人に機密情報を閲覧されたり、機密情報が印刷された記録媒体が盗難に遭う恐れもある。しかし、前記従来技術（Ｊ01）〜（Ｊ03）では、機密情報のプリントアウトを行う場合でも、自動的に他のプリンタに送信、転送されてしまう。したがって、機密情報が自動転送された場合、転送先を確認して記録媒体を回収するまでに更に時間がかかり、速やかに回収できない恐れがある。
一方、前記機密情報を一切転送できなくすると、複数のプリンタを効率よく使用することができず、ユーザはプリンタの前で長時間待機するか、機密情報のジョブデータを削除した後にクライアントパソコンＰＣまで戻って、他のプリンタに対してジョブデータを再送信しなければならず、面倒であり、ユーザの利便性が損なわれるという問題がある。
【０００７】
本発明は、前述の事情に鑑み、次の記載内容（Ｏ01），（Ｏ02）を技術的課題とする。
（Ｏ01）自動的に転送されることによる記録媒体の回収遅れを防止すること。
（Ｏ02）複数の画像形成装置を効率的に使用すること。
【課題を解決するための手段】
【０００８】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００９】
（第１発明）
前記技術的課題を解決するために、第１発明の画像形成装置は、下記の構成要件（Ａ01）〜（Ａ05）を備えたことを特徴とする。
（Ａ01）ネットワーク（Ｎ）を介して送信された画像情報を順次記憶する画像情報記憶手段（Ｃ２）、
（Ａ02）受信した画像情報の画像形成を行う画像形成手段（Ｃ３）、
（Ａ03）前記ネットワーク（Ｎ）に接続された他の画像形成装置（Ｐｒ２〜Ｐｒ５）を記憶する転送先画像形成装置記憶手段（Ｃ４Ｃ）、
（Ａ04）前記画像情報を受信した受信画像形成装置（Ｐｒ１）から画像情報を転送する転送先画像形成装置（Ｐｒ２〜Ｐｒ５）を指定するための転送先指定画像（１１）を情報表示画面（ＵＩ１）に表示する転送先指定画像表示手段（Ｃ６Ａ）、
（Ａ05）前記転送先指定画像（１１）への入力に応じて前記転送先画像形成装置（Ｐｒ２〜Ｐｒ５）に前記画像情報を送信する画像情報転送手段（Ｃ６）。
【００１０】
（第１発明の作用）
前記構成要件（Ａ01）〜（Ａ05）を備えた第１発明の画像形成装置では、画像情報記憶手段（Ｃ２）は、ネットワーク（Ｎ）を介して送信された画像情報を順次記憶する。画像形成手段（Ｃ３）は、受信した画像情報の画像形成を行う。転送先画像形成装置記憶手段（Ｃ４Ｃ）は、前記ネットワーク（Ｎ）に接続された他の画像形成装置（Ｐｒ２〜Ｐｒ５）を記憶する。転送先指定画像表示手段（Ｃ６Ａ）は、前記受信画像形成装置（Ｐｒ１）から画像情報を転送する転送先画像形成装置（Ｐｒ２〜Ｐｒ５）を指定するための転送先指定画像（１１）を情報表示画面（ＵＩ１）に表示する。画像情報転送手段（Ｃ６）は、前記転送先指定画像（１１）への入力に応じて前記転送先画像形成装置（Ｐｒ２〜Ｐｒ５）に前記画像情報を送信する。
したがって、第１発明の画像形成装置では、転送先指定画像（１１）により転送先画像形成装置（Ｐｒ２〜Ｐｒ５）を指定することができるので、転送先の画像形成装置をユーザが確実に認識することができ、プリントアウトされた記録媒体を速やかに回収することができる。この結果、機密情報の漏洩を低減でき、セキュリティを高めることができる。
【００１１】
（第１発明の形態１）
第１発明の形態１は、前記第１発明において、下記の構成要件（Ａ06），（Ａ07）を備えたことを特徴とする。
（Ａ06）前記画像情報記憶手段（Ｃ２）に記憶された全ての画像情報の一覧表示して転送する画像情報を指定するための転送情報指定画像（２１）を表示する転送情報指定画像表示手段（Ｃ６Ｂ）、
（Ａ07）前記転送情報指定画像（２１）で指定された画像情報を前記転送先画像形成装置（Ｐｒ２〜Ｐｒ５）に転送する前記画像情報転送手段（Ｃ６）。
【００１２】
（第１発明の形態１の作用）
前記構成要件（Ａ06），（Ａ07）を備えた第１発明の形態１の画像形成装置では、転送情報指定画像表示手段（Ｃ６Ｂ）は、前記画像情報記憶手段（Ｃ２）に記憶された全ての画像情報の一覧表示して転送する画像情報を指定するための転送情報指定画像（２１）を表示する。前記画像情報転送手段（Ｃ６）は、前記転送情報指定画像（２１）で指定された画像情報を前記転送先画像形成装置（Ｐｒ２〜Ｐｒ５）に転送する。したがって、転送したい画像情報毎に転送先を指定できるので、一括して指定する場合に比べ、複数の画像形成装置から効率的に出力することができる。
【００１３】
（第１発明の形態２）
第１発明の形態２は、前記第１発明または第１発明の形態１において、下記の構成要件（Ａ08），（Ａ09）を備えたことを特徴とする。
（Ａ08）前記ネットワーク（Ｎ）に接続された他の画像形成装置（Ｐｒ２〜Ｐｒ５）を検出する転送先検出手段（Ｃ４）、
（Ａ09）検出された他の画像形成装置（Ｐｒ２〜Ｐｒ５）を記憶する前記転送先画像形成装置記憶手段（Ｃ４Ｃ）。
（第１発明の形態２の作用）
前記構成要件（Ａ08），（Ａ09）を備えた第１発明の形態２では、転送先検出手段（Ｃ４）は、前記ネットワーク（Ｎ）に接続された他の画像形成装置（Ｐｒ２〜Ｐｒ５）を検出する。前記転送先画像形成装置記憶手段（Ｃ４Ｃ）は、検出された他の画像形成装置（Ｐｒ２〜Ｐｒ５）を記憶する。したがって、現在ネットワーク（Ｎ）に接続されている転送可能な画像形成装置を自動的に検出し、転送することができる。
【００１４】
（第１発明の形態３）
第１発明の形態３は、前記第１発明の形態２において、下記の構成要件（Ａ010），（Ａ011）を備えたことを特徴とする。
（Ａ010）前記ネットワーク（Ｎ）に接続された他の画像形成装置（Ｐｒ２〜Ｐｒ５）の稼働状況を検出する転送先稼働状況検出手段（Ｃ５）、
（Ａ011）前記稼働状況を含む前記転送先指定画像（１１）を表示する前記画像情報転送手段（Ｃ６）。
（第１発明の形態３の作用）
前記構成要件（Ａ010），（Ａ011）を備えた第１発明の形態３では、転送先稼働状況検出手段（Ｃ５）は、前記ネットワーク（Ｎ）に接続された他の画像形成装置（Ｐｒ２〜Ｐｒ５）の稼働状況を検出する。前記画像情報転送手段（Ｃ６）は、前記稼働状況を含む前記転送先指定画像（１１）を表示する。したがって、ユーザは他の画像形成装置（Ｐｒ２〜Ｐｒ５）の稼動状況を参照しながら転送先画像形成装置（Ｐｒ２〜Ｐｒ５）を選択することができ、画像形成が行われていない転送先画像形成装置（Ｐｒ２〜Ｐｒ５）を指定することができるので、複数の画像形成装置を効率的に使用することができる。
【００１５】
（第１発明の形態４）
第１発明の形態４は、前記第１発明および第１発明の形態１〜３のいずれかにおいて、下記の構成要件（Ａ012），（Ａ013）を備えたことを特徴とする。
（Ａ012）前記画像情報の画像形成を待機する指定を行う待機指示情報を含む前記画像情報を記憶する前記画像情報記憶手段（Ｃ２）、
（Ａ013）前記画像形成を待機する指定がされた画像情報の待機を解除するための待機解除画像（４１）を表示する待機解除画像表示手段（Ｃ１１Ｂ）。
【００１６】
（第１発明の形態４の作用）
前記構成要件（Ａ012），（Ａ013）を備えた第１発明の形態４の画像形成装置では、前記画像情報記憶手段（Ｃ２）は、前記画像情報の画像形成を待機する指示を行う待機指示情報を含む前記画像情報を記憶する。待機解除画像表示手段（Ｃ１１Ｂ）は、前記画像形成を待機する指定がされた画像情報の待機を解除するための待機解除画像（４１）を表示する。したがって、画像形成装置で画像形成の待機を解除でき、画像形成装置の設置場所に行く前に出力されて、機密情報が閲覧等されることを防止できる。
【００１７】
（第１発明の形態５）
第１発明の形態５は、前記第１発明の形態４において、下記の構成要件（Ａ014），（Ａ015）を備えたことを特徴とする。
（Ａ014）前記受信画像形成装置（Ｐｒ１）が画像形成不可能状態であるか否かを判別する画像形成不可能判別手段（Ｃ８Ａ）、
（Ａ015）前記画像形成不可能状態である場合に、前記待機指示情報が含まれていない画像情報を自動的に転送先画像形成装置（Ｐｒ２〜Ｐｒ５）に転送すると共に、前記待機指示情報が含まれている画像情報を自動的に転送先画像形成装置（Ｐｒ２〜Ｐｒ５）に転送しない前記画像情報転送手段（Ｃ６）。
【００１８】
（第１発明の形態５の作用）
前記構成要件（Ａ014），（Ａ015）を備えた第１発明の形態５の画像形成装置では、
画像形成不可能判別手段（Ｃ８Ａ）は、前記受信画像形成装置（Ｐｒ１）が画像形成不可能状態であるか否かを判別する。前記画像情報転送手段（Ｃ６）は、前記画像形成不可能状態である場合に、前記待機指示情報が含まれていない画像情報を自動的に転送先画像形成装置（Ｐｒ２〜Ｐｒ５）に転送すると共に、前記待機指示情報が含まれている画像情報を自動的に転送先画像形成装置（Ｐｒ２〜Ｐｒ５）に転送しない。したがって、受信画像形成装置（Ｐｒ１）でジョブが実行されていたり、エラーが発生している場合には、待機指示がされていない画像情報は他の画像形成装置（Ｐｒ２〜Ｐｒ５）に自動的に転送されるので、効率的に複数の画像形成装置を利用することができる。一方、待機指示がされている場合には、自動的に転送せず、転送先指定画像（１１）による指示による転送されるので、ユーザが転送先画像形成装置（Ｐｒ２〜Ｐｒ５）を確実に認識して速やかに記録媒体を回収できる。
【発明の効果】
【００１９】
前述の本発明は、下記の効果（Ｅ01），（Ｅ02）を奏する。
（Ｅ01）自動的に転送されることによる記録媒体の回収遅れを防止することができる。
（Ｅ02）複数の画像形成装置を効率的に使用することができる。
【発明を実施するための最良の形態】
【００２０】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２１】
図１は本発明の実施例１のプリントシステムの全体説明図である。
図１において、本発明の実施例１のプリントシステムＳは、インターネット回線（公衆通信回線）１やローカルエリアネットワーク（ＬＡＮ）２を含むネットワークＮを有する。前記ローカルエリアネットワーク２は、ルーターＲを介してインターネット回線１に接続されている。実施例１では、前記ローカルエリアネットワーク２は、第１事業部門用の第１サブネットワーク３と、第２事業部門用の第２サブネットワーク４とを有し、第１サブネットワーク３と第２サブネットワーク４はルーターＲを介して接続されている。
前記各サブネットワーク３，４には、それぞれ、複数のクライアントパソコンＰＣやネットワーク接続型のプリンタ（画像形成装置、複合機）Ｐｒ１〜Ｐｒ４、図示しないワークステーションやデータベースサーバ等が接続されている。また、インターネット回線１を介して、プリンタ（画像形成装置、複合機）Ｐｒ５が接続されている。
【００２２】
前記各クライアントパソコンＰＣは、コンピュータ装置により構成されており、コンピュータ本体Ｈ１と、ディスプレイＨ２と、キーボードＨ３やマウスＨ４等の入力装置、図示しないＨＤドライブ（ハードディスクドライブ）、ＣＤドライブ（コンパクトディスクドライブ）等により構成されている。前記クライアントパソコンＰＣには、クライアントパソコンの基本動作を制御する基本ソフト（オペレーティングシステム）や、文書作成ソフトウェアや作図ソフトウェア等のアプリケーションプログラム、各プリンタＰｒ１〜Ｐｒ５をコントロールするプリンタドライバ等が組み込まれており、クライアントパソコンＰＣのユーザの入力に応じてプリントデータ（画像情報）をプリンタＰｒ１〜Ｐｒ５に送信する。
前記プリンタＰｒ１〜Ｐｒ５は、ユーザインタフェースＵＩと、印刷用紙を給紙するための複数の給紙トレイＴＲと、排紙トレイＴＲｈとを有している。なお、前記プリンタＰｒは、電子写真方式のプリンタである。
【００２３】
（実施例１の制御部の説明）
（画像形成装置の制御部の説明）
図２は、実施例１の画像形成装置としてのプリンタ（複合機）の制御部分が備えている各機能をブロック図（機能ブロック図）で示した図である。
図２において、実施例１のプリンタＰｒ１のコントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）やハードディスク、必要なデータを一時的に記憶するためのＲＡＭ（ランダムアクセスメモリ）、前記ＲＯＭ等に記憶されたプログラムに応じた処理を行うＣＰＵ（中央演算処理装置）、ならびにクロック発振器等を有するマイクロコンピュータにより構成されており、前記ＲＯＭ等に記憶されたプログラムを実行することにより種々の機能を実現することができる。
なお、各プリンタＰｒ１〜Ｐｒ５のコントローラＣは、同様に構成されているので、以下の説明では、プリンタＰｒ１について説明し、その他のプリンタＰｒ２〜Ｐｒ５についての詳細な説明は省略する。
【００２４】
（前記コントローラＣに接続された信号入力要素）
前記コントローラＣは、ＵＩ（ユーザインタフェース）や図示しない各種センサ等の信号入力要素からの信号が入力されている。
前記ＵＩは、表示器（情報表示画面）ＵＩ１や、コピースタートキーＵＩ２、テンキーＵＩ３、ジョブデータ（画像情報）の転送を実行するための転送キーＵＩ４等の入力キーを備えており、それらが入力されたことを検出して、その検出信号をコントローラＣに入力する。
【００２５】
（前記コントローラＣに接続された制御要素）
前記コントローラＣは、画像情報に応じて画像を形成し、給紙トレイＴＲから給紙された用紙に画像を記録して排出トレイＴＲｈに排出する画像記録部材Ｐｒ１やその他の制御要素に接続されており、それらの作動制御信号を出力している。
【００２６】
（前記コントローラＣの機能）
前記コントローラＣは、前記各信号出力要素からの出力信号やネットワークＮを介して受信した情報、信号に応じた処理を実行して、前記各制御要素に制御信号を出力する機能（制御手段）を有している。前記コントローラＣの機能（制御手段）を次に説明する。
Ｃ１：画像情報受信手段
画像情報受信手段Ｃ１は、クライアントパソコンＰＣから送信された画像情報を受信する。
Ｃ２：ジョブ記憶手段（画像情報記憶手段）
ジョブ記憶手段Ｃ２は、受信した画像情報やコピー動作時の読取り画像情報等のプリント動作やコピー動作等の画像形成動作（ジョブ）を実行するための情報（データ）を記憶する。
【００２７】
Ｃ３：画像記録手段（画像形成手段）
画像記録手段Ｃ３は、画像記録部材Ｐｒ１を作動を制御して、ジョブ記憶手段Ｃ２に記憶されたジョブを受信した順に実行し、用紙に画像を記録する。
Ｃ４：ネットワーク接続画像形成装置検出手段（転送先検出手段）
ネットワーク接続画像形成装置検出手段Ｃ４は、機器種類問合せ情報送信手段Ｃ４Ａと、機器種類情報受信手段Ｃ４Ｂと、転送先画像形成装置記憶手段Ｃ４Ｃとを有し、ネットワークＮに接続されている他のプリンタ（画像形成装置）Ｐｒ２〜Ｐｒ５を検出する。
Ｃ４Ａ：機器種類問合せ情報送信手段
機器種類問合せ情報送信手段Ｃ４Ａは、ネットワークＮに接続されている全ての機器ＰＣ，Ｐｒ１〜Ｐｒ５に対して機器の種類（パソコン、プリンタ、スキャナ等）を識別する機器種類情報を問い合せる機器種類問合せ情報（従来公知のデバイスディスカバリ用プロトコル）を送信する。
【００２８】
Ｃ４Ｂ：機器種類情報受信手段
機器種類情報受信手段Ｃ４Ｂは、機器種類問合せ情報に応じて各機器から送信される機器種類情報を受信する。なお、実施例１では、機器種類情報に機器を特定する機器識別情報（機器の名前やアドレス情報等）を含む。
Ｃ４Ｃ：転送先画像形成装置記憶手段
転送先画像形成装置記憶手段Ｃ４Ｃは、機器種類情報が画像形成装置（プリンタ）であった機器をその機器識別情報と共に検出プリンタリストに記憶する。
【００２９】
Ｃ５：転送先稼働状況検出手段
転送先稼働状況検出手段Ｃ５は、画像形成装置状況問合せ信号送信手段Ｃ５Ａと、画像形成装置状況情報受信手段Ｃ５Ｂと、転送先稼働状況記憶手段Ｃ５Ｃとを有し、画像情報の転送先の候補であるネットワークＮ上に接続された他のプリンターＰｒ２〜Ｐｒ５の稼働状況を検出する。実施例１の転送先稼働状況検出手段Ｃ５は、稼働状況として、現在保持されているジョブの数や実行中のジョブの状況、用紙不足等のエラー状況の情報を受信する。
Ｃ５Ａ：画像形成装置状況問合せ信号送信手段
画像形成装置状況問合せ信号送信手段Ｃ５Ａは、ネットワークＮ上に接続された他のプリンターＰｒ２〜Ｐｒ５に対して、稼働状況を問い合わせる状況問合わせ信号を送信する。
【００３０】
Ｃ５Ｂ：画像形成装置状況情報受信手段
画像形成装置状況情報受信手段Ｃ５Ｂは、前記状況問合わせ信号に応じて他のプリンターＰｒ２〜Ｐｒ５から送信された稼働状況情報を受信する。
Ｃ５Ｃ：転送先稼働状況記憶手段
転送先稼働状況記憶手段Ｃ５Ｃは、受信した転送先の候補である各プリンタＰｒ２〜Ｐｒ５の稼働状況を記憶する。
Ｃ６：画像情報転送手段
画像情報転送手段Ｃ６は、転送先指定画像表示手段Ｃ６Ａと転送ジョブ指定画像表示手段Ｃ６Ｂとを有し、ユーザにより指定されたプリンタ（転送先画像形成装置）Ｐｒ２〜Ｐｒ５に画像情報を送信する。すなわち、実施例１の画像情報転送手段Ｃ６は、指定されたプリンタＰｒ２〜Ｐｒ５に指定された画像情報（ジョブデータ）を送信する。
【００３１】
図３は実施例１の転送先指定画像の説明図である。
Ｃ６Ａ：転送先指定画像表示手段
転送先指定画像表示手段Ｃ６Ａは、前記受信画像形成装置から画像情報を転送する転送先画像形成装置を指定するための転送先指定画像１１（図３参照）を表示部ＵＩ１（情報表示画面）に表示する。図３において、実施例１の転送先指定画像１１は、ネットワークＮ上で検出され、画像情報の転送先の候補であるプリンタをその稼働状況と共に一覧表示する一覧表示欄１２と、一覧表示欄１２で選択されたプリンタを転送先プリンタとして決定する転送先決定画像１３（図３の「選択」アイコン参照）と、転送の実行を取り消す転送取り消し画像１４（図３の「キャンセル」アイコン参照）とを有する。なお、一覧表示欄１２では、プリンタが選択されると選択されたプリンタ名がハイライト表示される（図３のＰｒｉｎｔｅｒ−Ｂ参照）。
【００３２】
図４は実施例１の転送情報指定画像の説明図である。
Ｃ６Ｂ：転送ジョブ指定画像表示手段（転送情報指定画像表示手段）
転送ジョブ指定画像表示手段Ｃ６Ｂは、ジョブ記憶手段Ｃ２に記憶された全てのジョブデータの一覧表示して、転送する画像情報を指定するための転送情報指定画像２１（図４参照）を表示する。図４において、実施例１の転送情報指定画像２１は、保持されているジョブの一覧を表示するジョブ一覧表示欄２２と、転送するジョブを決定する転送ジョブ決定画像２３（図４の「決定」アイコン参照）と、転送するジョブの決定を取りやめるジョブ指定取り消し画像２４（図４の「キャンセル」アイコン参照）と、を有する。なお、前記ジョブ一覧表示欄２２では、ジョブが選択されると、前記転送先指定画像１１の一覧表示欄１２と同様に、ジョブ名がハイライト表示される。
【００３３】
Ｃ７：画像形成装置状況情報問合せ情報受信手段
画像形成装置状況情報問合せ情報受信手段Ｃ７は、ネットワークＮに接続された他の機器（パソコンＰＣや他のプリンタＰｒ２〜Ｐｒ５）から送信された機器種類問合せ情報を受信する。
Ｃ８：稼動状況検出手段
稼動状況検出手段Ｃ８は、プリンタＰｒ１が画像形成動作中またはエラー発生中であるか否かを判別する画像形成不可能判別手段Ｃ８Ａを有し、プリンタＰｒ１の稼動状況、すなわち、ジョブの実行状況またはエラー状況を検出する。
Ｃ９：画像形成装置状況情報送信手段
画像形成装置状況情報送信手段Ｃ９は、ネットワークＮに接続された他の機器から送信された画像形成装置状況情報問合せ情報に応じて、プリンタＰｒ１の稼動状況情報を送信する。
【００３４】
Ｃ１０：機器種類情報応答手段
機器種類情報応答手段Ｃ１０は、機器種類問合せ情報受信手段Ｃ１０Ａと、機器種類情報記憶手段Ｃ１０Ｂと、機器種類情報送信手段Ｃ１０Ｃとを有し、ネットワークＮに接続された他の機器から機器種類情報の問合せに対して応答を行う。
Ｃ１０Ａ：機器種類問合せ情報受信手段
機器種類問合せ情報受信手段Ｃ１０Ａは、ネットワークＮに接続された他の機器から送信された機器種類問合せ情報を受信する。
Ｃ１０Ｂ：機器種類情報記憶手段
機器種類情報記憶手段Ｃ１０Ｂは、プリンタ（画像形成装置）Ｐｒ１の機種種類情報（プリンタ且つスキャナ）を記憶する。
Ｃ１０Ｃ：機器種類情報送信手段
機器種類情報送信手段Ｃ１０Ｃは、機種種類問合せ情報を送信した機器に対して、機器種類情報を送信する。
【００３５】
（実施例１のフローチャートの説明）
次に、実施例１の画像形成装置Ｐｒ１の処理の流れをフローチャートを使用して説明するが、ユーザの入力に応じてプリンタＰｒ１に対して画像情報を送信するクライアントパソコンＰＣの処理については、簡単かつ従来公知のため、図示及び詳細な説明を省略する。
【００３６】
（ジョブ受信転送処理のフローチャートの説明）
図５は実施例１の画像形成装置のジョブ受信転送処理のフローチャートである。
図５のフローチャートの各ＳＴ（ステップ）の処理は、プリンタＰｒ１のＲＯＭやハードディスク等に記憶されたプログラムに従って行われる。また、この処理はプリンタＰｒ１の他の各種処理と並行してマルチタスクで実行される。
図５に示すフローチャートはプリンタＰｒ１の電源オンにより開始される。
【００３７】
図５のＳＴ１において、クライアントパソコンＰＣから送信された印刷ジョブデータ（画像情報）を受信したか否かを判別する。イエス（Ｙ）の場合はＳＴ２に進み、ノー（Ｎ）の場合はＳＴ３に進む。
ＳＴ２において、印刷ジョブデータを受信順にジョブ記憶手段に記憶する。そして、ＳＴ１に戻る。
ＳＴ３において、転送先指示用の入力がされたか否か、すなわち、ユーザインタフェースＵＩの転送キーＵＩ４の入力がされたか否かを判別する。イエス（Ｙ）の場合はＳＴ４に進み、ノー（Ｎ）の場合はＳＴ１に戻る。
ＳＴ４において、ジョブデータの転送先を指定する転送先指示処理（後述する図５のサブルーチン参照）を実行し、ＳＴ１に戻る。
【００３８】
（転送先指示処理（図５のＳＴ４のサブルーチン）の説明）
図６は実施例１の転送先指示処理のフローチャートであり、図５のＳＴ４のサブルーチンの説明図である。
図６のＳＴ１１において、ネットワークＮに接続されたすべての機器に対して、機器種類問合わせ情報を送信する。そして、ＳＴ１２に進む。
ＳＴ１２において、すべての機器情報を受信したか否かを判別する。イエス（Ｙ）の場合はＳＴ１３に進み、ノー（Ｎ）の場合はＳＴ１２を繰り返す。
ＳＴ１３において、機種種類情報が「プリンタ」の機器を検出プリンタリストに記憶する。そして、ＳＴ１４に進む。
【００３９】
ＳＴ１４において、ネットワークに接続されたプリンタ（検出プリンタリストに記憶されたプリンタ）に対して、状況問合わせ情報を送信する。そして、ＳＴ１５に進む。
ＳＴ１５において、すべてのプリンタから送信された稼働状況情報を受信したか否かを判別する。イエス（Ｙ）の場合はＳＴ１６に進み、ノー（Ｎ）の場合はＳＴ１５を繰り返す。
ＳＴ１６において、受信した稼働状況情報に基づいて、転送先選択画像１１（図３参照）を表示する。そして、ＳＴ１７に進む。
ＳＴ１７において、転送先選択画像１１の一覧表示欄１２において転送先のプリンタを選択する入力がされたか否かを判別する。イエス（Ｙ）の場合はＳＴ１８に進み、ノー（Ｎ）の場合はＳＴ１９に進む。
ＳＴ１８において、入力に応じて転送先選択画像１１を更新する。そして、ＳＴ１７に戻る。
【００４０】
ＳＴ１９において、転送先決定画像１３（図３の「選択」アイコン参照）の入力がされたか否かを判別する。ノー（Ｎ）の場合はＳＴ２０に進み、イエス（Ｙ）の場合はＳＴ２１に進む。
ＳＴ２０において、転送取り消し画像１４（図３の「キャンセル」アイコン参照）の入力がされたか否かを判別する。イエス（Ｙ）の場合はＳＴ２８に進み、ノー（Ｎ）の場合はＳＴ１７に戻る。
ＳＴ２１において、次の処理（１）、（２）を実行し、ＳＴ２２に進む。
（１）選択されたプリンタを転送先プリンタ（転送先画像形成装置）として記憶（設定）する。
（２）ジョブ記憶手段に記憶された（保持された）ジョブデータに基づいて、転送情報指定画像２１を表示する。
【００４１】
ＳＴ２２において、転送情報指定画像２１のジョブ一覧表示欄２２でジョブを選択する入力がされたか否かを判別する。イエス（Ｙ）の場合はＳＴ２３に進み、ノー（Ｎ）の場合はＳＴ２４に進む。
ＳＴ２３において、入力に応じて転送情報指定画像２１を更新し、ＳＴ２２に戻る。
ＳＴ２４において、転送ジョブ決定画像２３（図４の「決定」アイコン参照）の入力がされたか否かを判別する。ノー（Ｎ）の場合はＳＴ２５に進み、イエス（Ｙ）の場合はＳＴ２６に進む。
ＳＴ２５において、ジョブ指定取り消し画像２４（図４の「キャンセル」アイコン参照）の入力がされたか否かを判別する。イエス（Ｙ）の場合はＳＴ１６に戻り、ノー（Ｎ）の場合はＳＴ２２に戻る。
【００４２】
ＳＴ２６において、選択されたジョブデータを転送先プリンタに対して送信する（転送する）。そして、ＳＴ２７に進む。
ＳＴ２７において、転送先プリンタに送信されたジョブデータをジョブ記憶手段から削除する。そして、ＳＴ２８に進む。
ＳＴ２８において、表示器ＵＩ１に表示する初期画像（図示せず）を表示する。そして、図６の転送先指示処理を終了して、図５のジョブ受信転送処理に戻る。
【００４３】
（ジョブ実行処理のフローチャートの説明）
図７は実施例１の画像形成装置のジョブ実行処理のフローチャートである。
図７のフローチャートの各ＳＴ（ステップ）の処理は、プリンタＰｒ１のＲＯＭやハードディスク等に記憶されたプログラムに従って行われる。また、この処理はプリンタＰｒ１の他の各種処理（前記ジョブ受信転送処理等）と並行してマルチタスクで実行される。
図７に示すフローチャートはプリンタＰｒ１の電源オンにより開始される。
【００４４】
図７のＳＴ３１において、ジョブ記憶手段に残っている印刷ジョブデータがあるか否かを判別する。イエス（Ｙ）の場合はＳＴ３２に進み、ノー（Ｎ）の場合はＳＴ３１を繰り返す。
ＳＴ３２において、受信順の一番早い印刷ジョブデータの画像記録を実行する。そして、ＳＴ３３に進む。
ＳＴ３３において、ジョブが終了したか否かを判別する。イエス（Ｙ）の場合はＳＴ３４に進み、ノー（Ｎ）の場合はＳＴ３３を繰り返す。
ＳＴ３４において、実行した印刷ジョブデータをジョブ記憶手段から削除する。そして、ＳＴ３１に戻る。
【００４５】
（稼動状況問い合わせ応答処理のフローチャートの説明）
図８は実施例１の画像形成装置の稼動状況問い合わせ応答処理のフローチャートである。
図８のフローチャートの各ＳＴ（ステップ）の処理は、プリンタＰｒ１のＲＯＭやハードディスク等に記憶されたプログラムに従って行われる。また、この処理はプリンタＰｒ１の他の各種処理（前記ジョブ受信転送処理等）と並行してマルチタスクで実行される。
図８に示すフローチャートはプリンタＰｒ１の電源オンにより開始される。
【００４６】
図８のＳＴ４１において、状況問い合わせ情報を受信したか否かを判別する。イエス（Ｙ）の場合はＳＴ４２に進み、ノー（Ｎ）の場合はＳＴ４４に進む。
ＳＴ４２において、ジョブ記憶手段に記憶されたジョブ数、ジョブ実行状況またはエラー状況等を含む稼働状況情報を作成する。そして、ＳＴ４３に進む。
ＳＴ４３において、稼働状況情報を状況問合わせ情報を送信した機器に送信する。そして、ＳＴ４１に戻る。
ＳＴ４４において、機器種類問合わせ情報を受信したか否かを判別する。イエス（Ｙ）の場合はＳＴ４５に進み、ノー（Ｎ）の場合はＳＴ４１に戻る。
ＳＴ４５において、機器種類情報を、機器種類問合わせ情報を送信した機器に送信する。そして、ＳＴ４１に戻る。
【００４７】
（実施例１の作用）
前記構成を備えた実施例１のプリントシステムＳでは、クライアントパソコンＰＣからプリンタＰｒ１に送信した後、ユーザがプリンタＰｒ１まで記録媒体を回収しに来た時に、多くのジョブが保持されていたり、エラーが発生していたりした場合には、転送先選択画像１１で転送先プリンタを選択し、転送情報指定画像２１で転送するジョブデータを選択することにより、指定したジョブデータを指定したプリンタに転送してプリントアウトすることができる。
したがって、ユーザが指定したプリンタに転送することができるので、転送したプリンタで速やかにプリントアウトされた記録媒体を回収することができる。この結果、例えば、機密情報をプリントアウトする場合に、自動的に他のプリンタに転送されてしまい転送先を確認して回収するまでに時間がかかってしまう場合と比較して、機密情報の閲覧や盗難等の漏洩を低減することができる。
【００４８】
また、転送作業をプリンタＰｒ１で行うことができるので、クライアントパソコンＰＣまで戻って他のプリンタに改めてジョブデータを送信する手間を省くことができ、利便性を向上することができる。
さらに、実施例１のプリントシステムＳでは、転送情報指定画像２１で転送するジョブデータを転送できるので、ジョブ毎に転送先を選択することができる。
【実施例２】
【００４９】
次に本発明の実施例２のプリントシステムＳの説明を行うが、この実施例２の説明において、前記実施例１の構成要素に対応する構成要素には同一の符号を付して、その詳細な説明を省略する。この実施例２は、下記の点で前記実施例１と相違しているが、他の点では前記実施例１と同様に構成されている。
【００５０】
（実施例２の制御部の説明）
（画像形成装置の制御部の説明）
（実施例２のコントローラＣの機能）
図９は、実施例２の画像形成装置としてのプリンタ（複合機）の制御部分が備えている各機能をブロック図（機能ブロック図）で示した図であり、実施例１の図７に対応する図である。
図９において、実施例２の画像形成装置Ｐｒ１〜Ｐｒ５は、クライアントパソコンＰＣから送信される際に、機密指示（画像形成待機指示）がされた画像情報のプリント（いわゆる、従来公知のセキュリティプリント機能）を実行するための構成を備えている。したがって、実施例２のユーザインタフェースＵＩには機密指示を解除して画像形成を実行するための機密指示付きジョブ実行キーＵＩ５が設けられている。
【００５１】
したがって、実施例２のジョブ記憶手段Ｃ２は、機密指示の情報と機密解除用のパスワード情報とを含む画像情報（ジョブデータ）を記憶する。
また、画像記録手段Ｃ３は、ジョブ記憶手段Ｃ２に記憶され、次に画像形成を行おうとするジョブデータに機密指示があるか否かを判別する機密指示有無判別手段Ｃ３Ａを有し、機密指示がされている場合には、画像形成を行わず（待機し）、機密指示が解除されるまでジョブを保持する。
【００５２】
さらに、実施例２の画像情報転送手段Ｃ６は、ジョブデータを受信したときに他のジョブを実行しており且つ受信したジョブに機密指示がされていないか否かを判別する自動転送判別手段Ｃ６Ｃを有し、ジョブデータを受信したときに他のジョブを実行しており且つ受信したジョブに機密指示がされていない場合には、ネットワークＮ上にジョブを実行していないプリンタに自動的にジョブデータを転送する。
また、実施例２のコントローラＣは、下記の機能を有する。
Ｃ１１：機密指示解除手段（待機解除手段）
機密指示解除手段Ｃ１１は、ジョブ一覧画像表示手段Ｃ１１Ａと、機密解除用画像表示手段Ｃ１１Ｂと、パスワード一致判別手段Ｃ１１Ｃとを有し、ユーザの入力に応じて、機密指示がされたジョブデータの機密指示を解除して、画像形成実行可能な状態に設定する。
【００５３】
図１０は実施例２のジョブ一覧画像の説明図である。
Ｃ１１Ａ：ジョブ一覧画像表示手段
ジョブ一覧画像表示手段Ｃ１１Ａは、ジョブ記憶手段Ｃ２に記憶されたジョブデータに応じたジョブ一覧画像３１を表示部ＵＩ１に表示する。図１０において、実施例２のジョブ一覧画像３１は、保持されているジョブの一覧を表示するジョブ一覧表示欄３２と、機密解除するためのパスワードを入力するための機密解除画像表示用アイコン３３（図１０の「パスワード入力」アイコン参照）と、機密解除を取りやめる機密解除取り消し画像３４（図１０の「キャンセル」アイコン参照）と、を有する。なお、前記ジョブ一覧表示欄３２では、ジョブが選択されると、前記転送先指定画像１１の一覧表示欄１２と同様に、ジョブ名がハイライト表示される。また、一覧表示欄３２において、機密指示がされたジョブには機密指示がされていることを特定するために機密指示特定画像３２ａが表示される。なお、実施例２では、前記転送情報指定画像２１のジョブ一覧表示欄２２には、ジョブ一覧画像３１のジョブ一覧表示欄３２と同様の画像が表示される。
【００５４】
図１１は実施例２の機密解除用画像の説明図である。
Ｃ１１Ｂ：機密解除用画像表示手段（待機解除画像表示手段）
機密解除用画像表示手段Ｃ１１Ｂは、機密指示のある（画像形成を待機する指定がされた）画像情報の待機を解除するための機密解除用画像４１（待機解除画像、図１１参照）を表示する。図１１において、実施例２の機密解除用画像４１は、機密解除をするジョブを表示する選択ジョブ表示欄４２と、入力されたパスワードを表示する入力パスワード表示欄４３と、パスワードを入力するためのパスワード入力画像４４と、パスワードの入力を終了するパスワード入力終了画像４６（図１１の「決定」アイコン参照）と、パスワードの入力を取りやめるためのパスワード入力取消画像４７（図１１の「キャンセル」アイコン参照）とを有する。
Ｃ１１Ｃ：パスワード一致判別手段
パスワード一致判別手段Ｃ１１Ｃは、機密解除用画像４１で入力された入力パスワードがジョブ記憶手段Ｃ２に記憶されたパスワード情報に一致するか否かを判別する。
【００５５】
（実施例２のフローチャートの説明）
次に、実施例２のフローチャートの説明を行うが、実施例１のフローチャートと同様の処理には同一のステップ（ＳＴ）番号を付し、詳細な説明は省略する。
（ジョブ受信転送処理のフローチャートの説明）
図１２は実施例２の画像形成装置のジョブ受信転送処理のフローチャートであり、実施例１の図５に対応するフローチャートである。
図１２のフローチャートの各ＳＴ（ステップ）の処理は、プリンタＰｒ１のＲＯＭやハードディスク等に記憶されたプログラムに従って行われる。また、この処理はプリンタＰｒ１の他の各種処理と並行してマルチタスクで実行される。
図１２に示すフローチャートはプリンタＰｒ１の電源オンにより開始される。
【００５６】
図１２のジョブ受信転送処理では、実施例１のジョブ受信転送処理のＳＴ１〜ＳＴ４を実行すると共に、ＳＴ２の処理がされるとＳＴ５１に進み、ＳＴ３でノー（Ｎ）の場合はＳＴ５４に進む。
ＳＴ５１において、稼働状況検出手段Ｃ８による検出に基づいてジョブが現在実行中であるか否かを判別する。イエス（Ｙ）の場合はＳＴ５２に進み、ノー（Ｎ）の場合はＳＴ１に戻る。
ＳＴ５２において、受信したジョブに機密指示があるか否かを判別する。ノー（Ｎ）の場合はＳＴ５３に進み、ノー（Ｎ）の場合はＳＴ１に戻る。
【００５７】
ＳＴ５３において、ネットワークＮに接続され、現在ジョブを実行していないプリンタにジョブデータを自動的に転送する自動転送処理（後述する図１３のサブルーチン参照）を実行し、ＳＴ１に戻る。
ＳＴ５４において、機密指示付きジョブ実行キーＵＩ５の入力がされたか否かを判別する。イエス（Ｙ）の場合はＳＴ５５に進み、ノー（Ｎ）の場合はＳＴ１に戻る。
ＳＴ５５において、機密指示を解除するための機密解除処理（待機解除処理、後述する図１４のサブルーチン参照）を実行してＳＴ１に戻る。
【００５８】
（自動転送処理（ＳＴ５３のサブルーチン）の説明）
図１３は実施例２の自動転送処理のフローチャートであり、図１２のＳＴ５３のサブルーチンの説明図である。
図１３のＳＴ６１において、ネットワークＮに接続されたすべての機器に対して、機器種類問合わせ情報を送信する。そして、ＳＴ６２に進む。
ＳＴ６２において、すべての機器情報を受信したか否かを判別する。イエス（Ｙ）の場合はＳＴ６３に進み、ノー（Ｎ）の場合はＳＴ６２を繰り返す。
ＳＴ６３において、機種種類情報が「プリンタ」の機器を検出プリンタリストに記憶する。そして、ＳＴ６４に進む。
ＳＴ６４において、ネットワークに接続されたプリンタ（検出プリンタリストに記憶されたプリンタ）に対して、状況問合わせ情報を送信する。そして、ＳＴ６５に進む。
【００５９】
ＳＴ６５において、すべてのプリンタから送信された稼働状況情報を受信したか否かを判別する。イエス（Ｙ）の場合はＳＴ６６に進み、ノー（Ｎ）の場合はＳＴ６５を繰り返す。
ＳＴ６６において、稼働状況情報に基づいて、実行中および待機中のジョブ（待ちジョブ）がないプリンタがあるか否かを判別する。イエス（Ｙ）の場合はＳＴ６７に進み、ノー（Ｎ）の場合は図１３の自動転送処理を終了して図１２のジョブ受信転送処理に戻る。
ＳＴ６７において、待ちジョブのないプリンタに対してジョブデータ（画像情報）を転送（自動転送）する。そして、ＳＴ６８に進む。
ＳＴ６８において、自動転送したジョブデータをジョブ記憶手段から削除する。そして、図１３の自動転送処理を終了して図１２のジョブ受信転送処理に戻る。
【００６０】
（機密解除処理（ＳＴ５５のサブルーチン）の説明）
図１４は実施例２の機密解除処理のフローチャートであり、図１２のＳＴ５５のサブルーチンの説明図である。
図１４のＳＴ７１において、ジョブ記憶手段に記憶された（保持された）ジョブデータに基づいて、ジョブ一覧画像３１を表示する。
ＳＴ７２において、ジョブ一覧画像３１のジョブ一覧表示欄３２でジョブを選択する入力がされたか否かを判別する。イエス（Ｙ）の場合はＳＴ７３に進み、ノー（Ｎ）の場合はＳＴ７４に進む。
ＳＴ７３において、入力に応じてジョブ一覧画像３１を更新し、ＳＴ７２に戻る。
【００６１】
ＳＴ７４において、機密解除画像表示用アイコン３３（図１０の「パスワード入力」アイコン参照）の入力がされたか否かを判別する。ノー（Ｎ）の場合はＳＴ７５に進み、イエス（Ｙ）の場合はＳＴ７６に進む。
ＳＴ７５において、機密解除取消画像３４（図１０の「キャンセル」アイコン参照）の入力がされたか否かを判別する。イエス（Ｙ）の場合はＳＴ８４に進み、ノー（Ｎ）の場合はＳＴ７２に戻る。
ＳＴ７６において、機密を解除する指定がされたジョブデータの機密解除用画像４１を表示する。そして、ＳＴ７７に進む。
【００６２】
ＳＴ７７において、パスワード入力画像４４またはテンキーＵＩ３によりパスワードの入力がされたか否かを判別する。イエス（Ｙ）の場合はＳＴ７８に進み、ノー（Ｎ）の場合はＳＴ７９に進む。
ＳＴ７８において、機密解除用画像４１の入力パスワード表示欄４３の表示を更新してＳＴ７７に戻る。
ＳＴ７９において、機密解除用画像４１のパスワード入力終了画像４６（図１１の「決定」アイコン参照）の入力がされたか否かを判別する。ノー（Ｎ）の場合はＳＴ８０に進み、イエス（Ｙ）の場合はＳＴ８１に進む。
ＳＴ８０において、機密解除用画像４１のパスワード入力取消画像４７（図１１の「キャンセル」アイコン参照）の入力がされたか否かを判別する。イエス（Ｙ）の場合はＳＴ７１に戻り、ノー（Ｎ）の場合はＳＴ７７に戻る。
【００６３】
ＳＴ８１において、入力された入力パスワードが受信した画像情報に含まれるパスワード情報に一致するか否かを判別する。ノー（Ｎ）の場合はＳＴ８２に進み、イエス（Ｙ）の場合はＳＴ８３に進む。
ＳＴ８２において、パスワードが一致しないことをユーザに告知するパスワード不一致画像を所定時間表示器ＵＩ１に表示し、ＳＴ７６に戻る。
ＳＴ８３において、選択されたジョブの機密指示を解除する。そして、ＳＴ８４に進む。
ＳＴ８４において、表示器ＵＩ１に表示する初期画像（図示せず）を表示する。そして、図１４の機密解除処理を終了して、図１２のジョブ受信転送処理に戻る。
【００６４】
（ジョブ実行処理のフローチャートの説明）
図１５は実施例２の画像形成装置のジョブ実行処理のフローチャートであり、実施例１の図７に対応する図である。
図１５のフローチャートの各ＳＴ（ステップ）の処理は、プリンタＰｒ１のＲＯＭやハードディスク等に記憶されたプログラムに従って行われる。また、この処理はプリンタＰｒ１の他の各種処理（前記ジョブ受信転送処理等）と並行してマルチタスクで実行される。
図１５に示すフローチャートはプリンタＰｒ１の電源オンにより開始される。
【００６５】
図１５のＳＴ９１において、ジョブ記憶手段Ｃ２に残っている印刷ジョブデータがあるか否かを判別する。イエス（Ｙ）の場合はＳＴ９２に進み、ノー（Ｎ）の場合はＳＴ９１を繰り返す。
ＳＴ９２において、ジョブ記憶手段Ｃ２に記憶されている受信順の一番早いジョブを実行対象ジョブに設定する。そして、ＳＴ９３に進む。
ＳＴ９３において、実行対象ジョブに機密指示があるか否かを判別する。イエス（Ｙ）の場合はＳＴ９４に進み、ノー（Ｎ）の場合はＳＴ９６に進む。
ＳＴ９４において、受信順が次に早いジョブがあるか否かを判別する。イエス（Ｙ）の場合はＳＴ９５に進み、ノー（Ｎ）の場合はＳＴ９１に戻る。
【００６６】
ＳＴ９５において、受信順が次に早いジョブを実行対象ジョブに設定する。そして、ＳＴ９３に戻る。
ＳＴ９６において、実行対象ジョブの画像形成動作（ジョブ）を実行する。そして、ＳＴ９７に進む。
ＳＴ９７において、ジョブが終了したか否かを判別する。イエス（Ｙ）の場合はＳＴ９８に進み、ノー（Ｎ）の場合はＳＴ９７を繰り返す。
ＳＴ９８において、実行した印刷ジョブデータをジョブ記憶手段Ｃ２から削除する。そして、ＳＴ９１に戻る。
【００６７】
（実施例２の作用）
前記構成を備えた実施例２のプリントシステムＳでは、機密指示がされていないジョブデータを受信した場合、ジョブを実行していなければ、プリントアウトが実行される（ＳＴ９３，ＳＴ９６参照）。また、機密指示がされていないジョブデータを受信した時に、ジョブが実行されていれば、ネットワーク上の他のジョブを実行していないプリンタにジョブデータが自動的に転送される（図１３の自動転送処理参照）。したがって、ネットワークＮに接続された、ジョブを実行していないプリンタから分散してプリントアウトされ、効率的にプリンタを利用することができる。
【００６８】
一方、ジョブデータに機密指示がされている場合、自動的に転送は行われず、ユーザがプリンタＰｒ１の設置場所まで来て、機密解除を行うとプリントアウトがされるため、ユーザがプリンタＰｒ１の設置場所に来る前にプリントアウトされることを防止できると共に、プリントアウト後に速やかに記録媒体を回収できるので、情報漏洩の危険を低減することができる。また、機密指示がされている場合でも、実施例１と同様に転送先指示処理（図１２のＳＴ４参照）を実行することにより、機密指示がされたジョブデータを他のプリンタに転送することもできる。この結果、実施例１と同様に、転送作業をプリンタＰｒ１〜Ｐｒ５で行うことができるので、クライアントパソコンＰＣまで戻って他のプリンタに改めてジョブデータを送信する手間を省くことができ、利便性を向上することができる。
【００６９】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ06）を下記に例示する。
（Ｈ01）前記実施例において、ネットワークＮ上に接続された機器の構成は、上記実施例に限定されず、ネットワークスキャナやデータベースサーバ、ワークステーション等を接続することも可能である。さらに、ネットワークに接続されたプリンタＰｒ１に限定されず、プリンタサーバを介してネットワークに接続された画像形成装置や、画像形成装置同士が専用線（リンクケーブル）で接続されている構成にも適用することも可能である。
【００７０】
（Ｈ02）前記実施例において、転送先の画像形成装置を検出するように構成したが、これに限定されず、転送可能な画像形成装置を予め設定（記憶）しておき、その中から転送先を選択するように構成することも可能である。特に、実施例２では、自動転送先を予め設定しておくことも可能である。
（Ｈ03）前記実施例において、クライアントパソコンＰＣから受信プリンタ、または、受信プリンタから転送先プリンタにジョブデータを送信する際のプロトコルやデータ形式は任意に設定することが可能である。例えば、クライアントパソコンＰＣから受信プリンタに送信する際には、プリンタドライバによる所定のデータ形式で送信し、受信プリンタから転送先プリンタに送信する際には、ビットマップデータ（ラスタデータ）に変換して送信することも可能である。
【００７１】
（Ｈ04）前記実施例において、各画像１１〜４１は、デザイン等に応じて適宜変更可能である。
（Ｈ05）前記実施例において、転送先プリンタを表示する際に、同一サブネットに接続された画像形成装置を優先的な転送先として表示するように構成することも可能である。
（Ｈ06）前記実施例において、転送先の候補のプリンタの稼動状況を受信することが望ましいが、稼動状況を受信せず、表示を行わないようにすることも可能である。
【図面の簡単な説明】
【００７２】
【図１】図１は本発明の実施例１のプリントシステムの全体説明図である。
【図２】図２は、実施例１の画像形成装置としてのプリンタ（複合機）の制御部分が備えている各機能をブロック図（機能ブロック図）で示した図である。
【図３】図３は実施例１の転送先指定画像の説明図である。
【図４】図４は実施例１の転送情報指定画像の説明図である。
【図５】図５は実施例１の画像形成装置のジョブ受信転送処理のフローチャートである。
【図６】図６は実施例１の転送先指示処理のフローチャートであり、図５のＳＴ４のサブルーチンの説明図である。
【図７】図７は実施例１の画像形成装置のジョブ実行処理のフローチャートである。
【図８】図８は実施例１の画像形成装置の稼動状況問い合わせ応答処理のフローチャートである。
【図９】図９は、実施例２の画像形成装置としてのプリンタ（複合機）の制御部分が備えている各機能をブロック図（機能ブロック図）で示した図であり、実施例１の図７に対応する図である。
【図１０】図１０は実施例２のジョブ一覧画像の説明図である。
【図１１】図１１は実施例２の機密解除用画像の説明図である。
【図１２】図１２は実施例２の画像形成装置のジョブ受信転送処理のフローチャートであり、実施例１の図５に対応するフローチャートである。
【図１３】図１３は実施例２の自動転送処理のフローチャートであり、図１２のＳＴ５３のサブルーチンの説明図である。
【図１４】図１４は実施例２の機密解除処理のフローチャートであり、図１２のＳＴ５５のサブルーチンの説明図である。
【図１５】図１５は実施例２の画像形成装置のジョブ実行処理のフローチャートであり、実施例１の図７に対応する図である。
【符号の説明】
【００７３】
１１…転送先指定画像、
２１…転送情報指定画像、
４１…待機解除画像、
Ｃ２…画像情報記憶手段、
Ｃ３…画像形成手段、
Ｃ４…転送先検出手段、
Ｃ４Ｃ…転送先画像形成装置記憶手段、
Ｃ５…転送先稼働状況検出手段、
Ｃ６…画像情報転送手段、
Ｃ６Ａ…転送先指定画像表示手段、
Ｃ６Ｂ…転送情報指定画像表示手段、
Ｃ８Ａ…画像形成不可能判別手段、
Ｃ１１Ｂ…待機解除画像表示手段、
Ｎ…ネットワーク、
Ｐｒ１…受信画像形成装置、
Ｐｒ２〜Ｐｒ５…転送先画像形成装置、
ＵＩ１…情報表示画面。
【図１】
2007168328.tif 000003
【図２】
2007168328.tif 000004
【図３】
2007168328.tif 000005
【図４】
2007168328.tif 000006
【図５】
2007168328.tif 000007
【図６】
2007168328.tif 000008
【図７】
2007168328.tif 000009
【図８】
2007168328.tif 000010
【図９】
2007168328.tif 000011
【図１０】
2007168328.tif 000012
【図１１】
2007168328.tif 000013
【図１２】
2007168328.tif 000014
【図１３】
2007168328.tif 000015
【図１４】
2007168328.tif 000016
【図１５】
2007168328.tif 000017